(57)【要約】【課題】ハンドオーバ中の移動局で受信されるデータが途切れないよう、ネットワークを介して接続された基地局間の通信経路を切り替えること。【解決手段】ハンドオーバ先の基地局１２−２と無線通信を開始した移動局１４−１は、通信相手の移動局１４−２から送信されるデータの取得先をハンドオーバ元の基地局１２−１からハンドオーバ先の基地局１２−２に切り替えた後に、移動局１４−２と無線通信を行う基地局１２−３に対して通信経路切替要求を送信する。基地局１２−３は、移動局１４−１から送信される通信経路切替要求に応じて、ハンドオーバ元の基地局１２−１との間に確立されたＲＴＰセッションを解放する。【選択図】図１
2009081668.tif 000002
【特許請求の範囲】
【請求項１】
第１の基地局装置から第２の基地局装置にハンドオーバを行う第１の移動局装置と、前記第１および第２の基地局装置のそれぞれとネットワークを介して通信するとともに、前記第１の移動局装置と呼接続する第２の移動局装置と無線通信を行う相手基地局装置と、を含む移動通信システムであって、
前記第１の移動局装置は、
前記第２の基地局装置との無線通信が開始された後、前記第２の移動局装置から送信されるデータの取得先を前記第１の基地局装置から前記第２の基地局装置に切り替える第１データ取得先切替手段と、
前記第１データ取得先切替手段が前記データの取得先を切り替えた後、前記相手基地局装置に対して通信経路の切替要求を送信する手段と、を含み、
前記相手基地局装置は、
前記第１の移動局装置から送信される前記通信経路の切替要求に応じて、前記第１の基地局装置との通信を終了する通信経路制御手段を含む、
ことを特徴とする移動通信システム。
【請求項２】
請求項１に記載の移動通信システムにおいて、
前記第１の移動局装置は、
前記相手基地局装置から送信されたデータを前記第１の基地局装置を介して受信したタイミングと、前記相手基地局装置から送信された前記データと同一のデータを前記第２の基地局装置を介して受信したタイミングと、の差を測定する第１受信タイミング差測定手段をさらに含み、
前記第１データ取得先切替手段は、前記第１受信タイミング差測定手段により測定されたタイミング差に基づいて、前記データ取得先の切り替えを行う、
ことを特徴とする移動通信システム。
【請求項３】
請求項２に記載の移動通信システムにおいて、
前記相手基地局装置は、
前記第１の基地局装置を介して前記第１の移動局装置に送信されるデータと、該データと同一であって前記第２の基地局装置を介して前記第１の移動局装置に送信されるデータと、のそれぞれに同一性を識別するための第１識別情報を付与する第１識別情報付与手段をさらに含み、
前記第１受信タイミング差測定手段は、前記第１識別情報が付与されたデータを前記第１の基地局装置を介して受信したタイミングと、前記第１識別情報が付与されたデータを前記第２の基地局装置を介して受信したタイミングと、の差を測定する、
ことを特徴とする移動通信システム。
【請求項４】
請求項１から３のいずれかに記載の移動通信システムにおいて、
前記相手基地局装置は、
前記第１の移動局装置から送信されたデータを前記第１の基地局装置を介して受信したタイミングと、前記第１の移動局装置から送信された前記データと同一のデータを前記第２の基地局装置を介して受信したタイミングと、の差を測定する第２受信タイミング差測定手段と、
前記第２受信タイミング差測定手段により測定されたタイミング差に基づいて、前記第２の移動局装置に送信するデータの取得先を前記第１の基地局装置から前記第２の基地局装置に切り替える第２データ取得先切替手段と、をさらに含み、
前記通信経路制御手段は、前記第２受信タイミング差測定手段により前記データ取得先が切り替えられた後、前記第１の基地局装置との通信を終了する、
ことを特徴とする移動通信システム。
【請求項５】
請求項４に記載の移動通信システムにおいて、
前記第１の移動局装置は、
前記第１の基地局装置を介して前記第２の移動局装置宛てに送信されるデータと、該データと同一であって前記第２の基地局装置を介して前記第２の移動局装置宛てに送信されるデータと、のそれぞれに同一性を識別するための第２識別情報を付与する第２識別情報付与手段をさらに含み、
前記第２受信タイミング差測定手段は、前記第２識別情報が付与されたデータを前記第１の基地局装置を介して受信したタイミングと、前記第２識別情報が付与されたデータを前記第２の基地局装置から受信したタイミングと、の差を測定する、
ことを特徴とする移動通信システム。
【請求項６】
他の移動局装置との呼接続を維持しつつ、前記他の移動局装置と無線通信を行う相手基地局装置とそれぞれネットワークを介して通信する第１の基地局装置から第２の基地局装置にハンドオーバを行う移動局装置であって、
前記第２の基地局装置との無線通信が開始された後、前記他の移動局装置から送信されるデータの取得先を前記第１の基地局装置から前記第２の基地局装置に切り替えるデータ取得先切替手段と、
前記データ取得先切替手段が前記データの取得先を切り替えた後、前記相手基地局装置に対して通信経路の切替要求を送信する手段と、
を含むことを特徴とする移動局装置。
【請求項７】
第１の移動局装置と無線通信を行う第１の基地局装置とネットワークを介して通信するとともに、前記第１の移動局装置と呼接続する第２の移動局装置と無線通信を行う基地局装置であって、
前記第１の移動局装置のハンドオーバ開始に伴い、ハンドオーバ先である第２の基地局装置と前記ネットワークを介して通信を開始する手段と、
前記通信の開始後、前記第２の移動局装置から送信されるデータの取得先を前記第１の基地局装置から前記第２の基地局装置に切り替えた前記第１の移動局装置から送信される通信経路の切替要求に応じて、前記第１の基地局装置との通信を終了する通信経路制御手段と、
を含むことを特徴とする基地局装置。
【請求項８】
第１の基地局装置から第２の基地局装置にハンドオーバを行う第１の移動局装置と、前記第１および第２の基地局装置のそれぞれとネットワークを介して通信するとともに、前記第１の移動局装置と呼接続する第２の移動局装置と無線通信を行う相手基地局装置と、を含む移動通信システムにおけるハンドオーバ方法であって、
前記第１の移動局装置が、前記第２の基地局装置との無線通信を開始した後、前記第２の移動局装置から送信されるデータの取得先を前記第１の基地局装置から前記第２の基地局装置に切り替えるステップと、
前記第１の移動局装置が、前記データの取得先を切り替えた後、前記相手基地局装置に対して通信経路の切替要求を送信するステップと、
前記相手基地局装置が、前記第１の移動局装置から送信される前記通信経路の切替要求に応じて、前記第１の基地局装置との通信を終了するステップと、
を含むことを特徴とするハンドオーバ方法。
【発明の詳細な説明】
【技術分野】
【０００１】
本発明は、移動通信システム、移動局装置、基地局装置、およびハンドオーバ方法に関し、特に、ネットワークを介して接続された複数の基地局装置を含む移動通信システムにおけるハンドオーバ技術に関する。
【背景技術】
【０００２】
近年、携帯電話やＰＨＳ（Personal Handy-phone System）などの移動通信システムでは、通話品質の向上や回線コストの削減などを目的として、基地局間の基幹回線（バックボーン）を回線交換網からＩＰ網に移行することが検討されている。基地局間がＩＰ網で接続される移動通信システムでは、移動局のハンドオーバに伴って基地局間の通信経路が切り替えられる。
【０００３】
図１４〜１７は、基地局間のデータ通信にコネクションレス型伝送プロトコルの１つであるＲＴＰ（Real-time Transport Protocol）を適用する従来の移動通信システム７０において、移動局７４−２と呼接続している移動局７４−１が基地局７２−１から基地局７２−２にハンドオーバする手順を説明する図である。同図に示すように、移動局７４−１がハンドオーバを開始する前は、ハンドオーバ元の基地局７２−１と移動局７４−２が無線接続する基地局７２−３との間にＲＴＰセッション１（切替元セッション）が確立されており、このＲＴＰセッション１を用いて通信データが送受信されている（図１４参照）。
【０００４】
ここで移動局７４−１が基地局７２−２へのハンドオーバを開始すると、ハンドオーバ先の基地局７２−２と基地局７２−３との間に新たなＲＴＰセッション２（切替先セッション）が確立され、ＲＴＰセッション１とＲＴＰセッション２の両セッションでデータが送受信される（図１５参照）。ここでは、ＲＴＰセッション１で受信されるデータだけが、移動局７４−１および７４−２で使用される。すなわち、移動局７４−１は、ハンドオーバ元の基地局７２−１から受信したデータのみを使用し、ハンドオーバ先の基地局７２−２から受信したデータを破棄する。また、基地局７２−３は、ＲＴＰセッション１で受信したデータのみを移動局７４−２に送信し、ＲＴＰセッション２で受信したデータを破棄する。
【０００５】
ＲＴＰセッション２が確立されると、基地局７２−３は、切替元セッションであるＲＴＰセッション１を解放する（図１６参照）。そして以降は、ＲＴＰセッション２で送受信されるデータが、移動局７４−１および７４−２で使用されるようになる（図１７参照）。
【０００６】
なお、特許文献１には、２つの端末と該端末間に設置したハンドオーバサーバとの間に同一の通話セッションを２本同時に確立することにより、切れ目のないハンドオーバ処理を実現する技術が開示されている。
【特許文献１】特開２００７−１４２７８６号公報
【発明の開示】
【発明が解決しようとする課題】
【０００７】
しかしながら、上記従来の移動通信システムでは、ハンドオーバを行う移動局がデータの取得先を切り替えるタイミングと、基地局間の通信経路が切り替わるタイミングと、が同期されていないため、ハンドオーバ中の移動局で受信されるデータが途切れてしまう場合があった。
【０００８】
たとえば、図１４〜１７に示す移動通信システム７０では、基地局７２−３がＲＴＰセッション１を解放してから、移動局７４−１がＲＴＰセッション２で受信されるデータの使用を開始するまでの間（図１６〜１７の間）、移動局７４−１は情報のない空データ（音声通信では無音のデータ）を受信データとして取得することになる。
【０００９】
本発明は、上記従来の課題に鑑みてなされたものであり、ハンドオーバ中の移動局装置で受信されるデータが途切れないよう、ネットワークを介して接続された基地局装置間の通信経路を切り替えられる移動通信システム、移動局装置、基地局装置、およびハンドオーバ方法を提供することを目的とする。
【課題を解決するための手段】
【００１０】
上記課題を解決するために、本発明に係る移動通信システムは、第１の基地局装置から第２の基地局装置にハンドオーバを行う第１の移動局装置と、前記第１および第２の基地局装置のそれぞれとネットワークを介して通信するとともに、前記第１の移動局装置と呼接続する第２の移動局装置と無線通信を行う相手基地局装置と、を含む移動通信システムであって、前記第１の移動局装置は、前記第２の基地局装置との無線通信が開始された後、前記第２の移動局装置から送信されるデータの取得先を前記第１の基地局装置から前記第２の基地局装置に切り替える第１データ取得先切替手段と、前記第１データ取得先切替手段が前記データの取得先を切り替えた後、前記相手基地局装置に対して通信経路の切替要求を送信する手段と、を含み、前記相手基地局装置は、前記第１の移動局装置から送信される前記通信経路の切替要求に応じて、前記第１の基地局装置との通信を終了する通信経路制御手段を含むことを特徴とする。
【００１１】
本発明では、ハンドオーバを行う移動局装置が受信データの取得先をハンドオーバ元の基地局装置からハンドオーバ先の基地局装置に切り替えた後に、相手基地局装置がハンドオーバ元の基地局装置との通信を終了する。本発明によれば、ハンドオーバ中の移動局装置で受信されるデータの途切れを防止することができる。
【００１２】
また、本発明の一態様では、前記第１の移動局装置は、前記相手基地局装置から送信されたデータを前記第１の基地局装置を介して受信したタイミングと、前記相手基地局装置から送信された前記データと同一のデータを前記第２の基地局装置を介して受信したタイミングと、の差を測定する第１受信タイミング差測定手段をさらに含み、前記第１データ取得先切替手段は、前記第１受信タイミング差測定手段により測定されたタイミング差に基づいて、前記データ取得先の切り替えを行う。この態様によれば、ハンドオーバ中の移動局装置で受信されるデータの途切れを防止し、さらに該データの連続性を保証することができる。
【００１３】
また、本発明の一態様では、前記相手基地局装置は、前記第１の基地局装置を介して前記第１の移動局装置に送信されるデータと、該データと同一であって前記第２の基地局装置を介して前記第１の移動局装置に送信されるデータと、のそれぞれに同一性を識別するための第１識別情報を付与する第１識別情報付与手段をさらに含み、前記第１受信タイミング差測定手段は、前記第１識別情報が付与されたデータを前記第１の基地局装置を介して受信したタイミングと、前記第１識別情報が付与されたデータを前記第２の基地局装置を介して受信したタイミングと、の差を測定する。この態様によれば、ハンドオーバ中の移動局装置で受信されるデータの連続性をより簡便に保証することができる。
【００１４】
また、本発明の一態様では、前記相手基地局装置は、前記第１の移動局装置から送信されたデータを前記第１の基地局装置を介して受信したタイミングと、前記第１の移動局装置から送信された前記データと同一のデータを前記第２の基地局装置を介して受信したタイミングと、の差を測定する第２受信タイミング差測定手段と、前記第２受信タイミング差測定手段により測定されたタイミング差に基づいて、前記第２の移動局装置に送信するデータの取得先を前記第１の基地局装置から前記第２の基地局装置に切り替える第２データ取得先切替手段と、をさらに含み、前記通信経路制御手段は、前記第２受信タイミング差測定手段により前記データ取得先が切り替えられた後、前記第１の基地局装置との通信を終了する。この態様によれば、ハンドオーバ中の移動局装置で受信されるデータの途切れを防止し、さらに該移動局装置から送信されたデータの連続性を保証することができる。
【００１５】
また、本発明の一態様では、前記第１の移動局装置は、前記第１の基地局装置を介して前記第２の移動局装置宛てに送信されるデータと、該データと同一であって前記第２の基地局装置を介して前記第２の移動局装置宛てに送信されるデータと、のそれぞれに同一性を識別するための第２識別情報を付与する第２識別情報付与手段をさらに含み、前記第２受信タイミング差測定手段は、前記第２識別情報が付与されたデータを前記第１の基地局装置を介して受信したタイミングと、前記第２識別情報が付与されたデータを前記第２の基地局装置から受信したタイミングと、の差を測定する。この態様によれば、ハンドオーバ中の移動局装置から送信されたデータの連続性をより簡便に保証することができる。
【００１６】
また、本発明に係る移動局装置は、他の移動局装置との呼接続を維持しつつ、前記他の移動局装置と無線通信を行う相手基地局装置とそれぞれネットワークを介して通信する第１の基地局装置から第２の基地局装置にハンドオーバを行う移動局装置であって、前記第２の基地局装置との無線通信が開始された後、前記他の移動局装置から送信されるデータの取得先を前記第１の基地局装置から前記第２の基地局装置に切り替えるデータ取得先切替手段と、前記データ取得先切替手段が前記データの取得先を切り替えた後、前記相手基地局装置に対して通信経路の切替要求を送信する手段と、を含むことを特徴とする。
【００１７】
また、本発明に係る基地局装置は、第１の移動局装置と無線通信を行う第１の基地局装置とネットワークを介して通信するとともに、前記第１の移動局装置と呼接続する第２の移動局装置と無線通信を行う基地局装置であって、前記第１の移動局装置のハンドオーバ開始に伴い、ハンドオーバ先である第２の基地局装置と前記ネットワークを介した通信を開始する手段と、前記通信の開始後、前記第２の移動局装置から送信されるデータの取得先を前記第１の基地局装置から前記第２の基地局装置に切り替えた前記第１の移動局装置から送信される通信経路の切替要求に応じて、前記第１の基地局装置との通信を終了する通信経路制御手段と、を含むことを特徴とする。
【００１８】
また、本発明に係るハンドオーバ方法は、第１の基地局装置から第２の基地局装置にハンドオーバを行う第１の移動局装置と、前記第１および第２の基地局装置のそれぞれとネットワークを介して通信するとともに、前記第１の移動局装置と呼接続する第２の移動局装置と無線通信を行う相手基地局装置と、を含む移動通信システムにおけるハンドオーバ方法であって、前記第１の移動局装置が、前記第２の基地局装置との無線通信を開始した後、前記第２の移動局装置から送信されるデータの取得先を前記第１の基地局装置から前記第２の基地局装置に切り替えるステップと、前記第１の移動局装置が、前記データ取得先の切り替えに応じて、前記相手基地局装置に対して通信経路の切替要求を送信するステップと、前記相手基地局装置が、前記第１の移動局装置から送信される前記通信経路の切替要求に応じて、前記第１の基地局装置との通信を終了するステップと、を含むことを特徴とする。
【発明を実施するための最良の形態】
【００１９】
以下、本発明の一実施形態を図面に基づいて詳細に説明する。
【００２０】
図１は、本発明の一実施形態に係る移動通信システム１０の全体構成図である。同図に示すように、移動通信システム１０は、複数の基地局１２（ここでは基地局１２−１〜１２−３のみを示す。）と複数の移動局１４（ここでは移動局１４−１，１４−２のみを示す。）を含んで構成されている。基地局１２−１〜１２−３は、ＩＰ網１６を介して相互に接続されている。
【００２１】
移動通信システム１０では、移動局１４−１が移動局１４−２と音声通信を行う場合、図１に示すように、移動局１４−１が無線接続する基地局１２−１と移動局１４−２が無線接続する基地局１２−３との間にＲＴＰセッションが確立され、このＲＴＰセッションを介して音声データが送受信される。ここで、移動局１４−１が基地局１２−１から基地局１２−２にハンドオーバすると、新たに基地局１２−２と基地局１２−３との間に確立されるＲＴＰセッションを用いて音声データが送受信されるようになる。特に、本実施形態に係る移動通信システム１０は、ハンドオーバ中の移動局１４−１で受信されるデータが途切れないよう基地局１２間のＲＴＰセッションを切り替える、という機能を有している。
【００２２】
以下では、上記機能を実現するために図１に示す基地局１２−３および移動局１４−１が備える構成について詳細に説明する。
【００２３】
図２は、基地局１２−３の機能ブロック図である。同図に示すように、基地局１２−３は、アンテナ２０、無線部２１、有線受信データ選択制御部２２、有線送信データ制御部２３、ＲＴＰ制御部２４、有線部２５、呼制御部２６を含んで構成される。このうち、有線受信データ選択制御部２２、有線送信データ制御部２３、ＲＴＰ制御部２４、呼制御部２６は、たとえばＣＰＵおよびＣＰＵの動作を制御するプログラムで構成される。
【００２４】
アンテナ２０は、無線部２１から供給される無線信号を放射する。また、移動局１４ー２から送信される無線信号を受信し、その無線信号を無線部２１に出力する。なお、送信および受信は、無線部２１の指示に従って時分割で切り替えられる。
【００２５】
無線部２１は、パワーアンプ、ローノイズアンプ、帯域通過フィルタ、ミキサ、Ｄ／Ａコンバータ、Ａ／Ｄコンバータ、変調回路、復調回路などを含んで構成される。そして、有線受信データ選択制御部２２から入力される有線受信データを無線信号に変換し、変換した無線信号を送信出力レベルにまで増幅してアンテナ２０に供給する。また、アンテナ２０で受信された無線信号をベースバンド信号に変換し、そのベースバンド信号を有線送信データとして有線送信データ制御部２３に出力する。
【００２６】
有線受信データ選択制御部２２は、ＲＴＰ制御部２４から入力される有線受信データを無線部２１に出力する。特に、移動局１４−１のハンドオーバに伴って基地局１２−３が２つのＲＴＰセッションを確立した後、すなわち、すでにハンドオーバ元の基地局１２−１との間に確立されたＲＴＰセッション１に加え、ハンドオーバ先の基地局１２−２との間に新たなＲＴＰセッション２を確立した後、有線受信データ選択制御部２２は、後述する呼制御部２６（データ取得先切替指示部２８）の指示に従って、無線部２１に出力する有線受信データの取得先をＲＴＰセッション１からＲＴＰセッション２に切り替える。
【００２７】
有線送信データ制御部２３は、無線部２１から入力される有線送信データをＲＴＰ制御部２４を介して送信する。特に、移動局１４−１のハンドオーバに伴って基地局１２−３がＲＴＰセッション１，２を確立している間、有線送信データ制御部２３は、呼制御部２６の指示に従って、ＲＴＰセッション１，２のそれぞれで有線送信データを送信する。
【００２８】
また、有線送信データ制御部２３は、呼制御部２６（識別情報付与指示部２９）の指示に従って、ＲＴＰセッション１，２で送信される有線送信データそれぞれに、それらが同一のデータであることを識別するための同一性識別情報（フラグ）を付与する。たとえば、ＲＴＰセッション１，２で送信されるＲＴＰパケットのヘッダに含まれるＭ（Marker、図４参照）が「１」となるよう、有線送信データに所定の情報を付与してもよい。
【００２９】
なお、基地局１２−３から送信されるＲＴＰパケットは、ハンドオーバ先の基地局１２−２（ハンドオーバ元の基地局１２−１でもよい。）で対応する無線フレームに変換された後、移動局１４−１に到達する。たとえばヘッダ内のＭが「１」であるＲＴＰパケット（図４参照）は、基地局１２−２（または基地局１２−１）において、ＳＡのビットがすべて「１」である無線レイヤ１フレーム（図５参照）に変換される。すなわち、データに付与された同一性識別情報が維持されるよう、ＩＰ網１６と無線伝送路との中継点である基地局１２−２（または基地局１２−１）でプロトコルの変換が行われる。
【００３０】
ＲＴＰ制御部２４は、呼制御部２６（通信経路制御部３０）の指示に従って、他の基地局１２との間にＲＴＰセッションを確立したり、確立されたＲＴＰセッションを解放したりする。特に、移動局１４−１のハンドオーバに伴って、ＲＴＰ制御部２４は、すでにハンドオーバ元の基地局１２−１との間に確立されたＲＴＰセッション１に加え、ハンドオーバ先の基地局１２−２との間に新たなＲＴＰセッション２を確立する。
【００３１】
また、ＲＴＰ制御部２４は、移動局１４−１のハンドオーバに伴って２つのＲＴＰセッション１，２を維持している間、ＲＴＰセッション１，２のそれぞれで、移動局１４−１から送信された同一のデータを識別するための同一性識別情報（フラグ）が付与されたＲＴＰパケットが受信されるか否か（たとえば、受信されたＲＴＰパケットのヘッダに含まれるＭが「１」であるか否か）を確認する。そして、同一性識別情報が付与されたＲＴＰパケットが受信されると、ＲＴＰ制御部２４は、その旨を呼制御部２６（受信タイミング差測定部２７）に通知する。
【００３２】
ＲＴＰ制御部２４により確立されるＲＴＰセッション１，２は、有線部２５から入力されるＲＴＰパケットに含まれるペイロードデータを有線受信データとして有線受信データ選択制御部２２に出力する。また、有線送信データ制御部２３から入力される有線送信データに所定のＲＴＰヘッダを付与し、生成されたＲＴＰパケットを有線部２５に出力する。なお、ＲＴＰセッション１，２は、それぞれ有線部２５から入力されるデータを一時的に格納するためのバッファを有している。
【００３３】
有線部２５は、ＩＰ網１６を介して他の基地局１２からＵＤＰ／ＩＰプロトコルに基づくＩＰパケットを受信し、受信したＩＰパケットに含まれるＲＴＰパケットをＲＴＰ制御部２４に出力する。また、ＲＴＰ制御部２４から入力されるＲＴＰパケットに所定のＵＤＰヘッダおよびＩＰヘッダを付与し、ＲＴＰパケットを含むＩＰパケットをＩＰ網１６を介して他の基地局１２に送信する。特に、移動局１４−１のハンドオーバに伴ってＲＴＰ制御部２４が２つのＲＴＰセッション１，２を維持している間、有線部２５は基地局１２−１，１２−２との間でそれぞれＲＴＰセッション１，２を用いてＲＴＰパケットを送受信する。
【００３４】
また、有線部２５は、移動局１４−１から送信される通信経路切替要求や交換機（図示せず）から送信される呼制御に係る指示（通知）などの制御データをＩＰ網１６を介して受信し、それらの制御データを呼制御部２６に出力する。
【００３５】
呼制御部２６は、受信タイミング差測定部２７、データ取得先切替指示部２８、識別情報付与指示部２９、通信経路制御部３０を含んで構成され、呼制御に係る各種処理を行う。
【００３６】
受信タイミング差測定部２７は、移動局１４−１のハンドオーバに伴ってＲＴＰ制御部２４が２つのＲＴＰセッション１，２を維持している間、ＲＴＰ制御部２４から、移動局１４−１から送信された同一性識別情報（フラグ）が付与されたＲＴＰパケットがＲＴＰセッション１，２のそれぞれで受信された旨の通知を受ける。そして、その通知に基づき、同一性識別情報が付与されたデータをＲＴＰセッション１で（ハンドオーバ元の基地局１２−１を介して）受信したタイミングＴ１と、同一性識別情報が付与されたデータをＲＴＰセッション２で（ハンドオーバ先の基地局１２−２を介して）受信したタイミングＴ２と、の差ΔＴ（ΔＴ＝Ｔ１−Ｔ２）を測定する。
【００３７】
データ取得先切替指示部２８は、移動局１４−１のハンドオーバに伴ってＲＴＰ制御部２４がハンドオーバ先の基地局１２−２との間でＲＴＰセッション２を確立した後、受信タイミング差測定部２７により測定されたタイミング差ΔＴに基づいて、移動局１４−２に送信するデータの取得先を基地局１２−１（ＲＴＰセッション１）から基地局１２−２（ＲＴＰセッション２）に切り替えるよう、有線受信データ選択制御部２２に指示する。
【００３８】
具体的には、ΔＴ＜０である場合（移動局１４−１から移動局１４−２宛てに送信された同一のデータのうち、ＲＴＰセッション１を含む経路で伝送されたデータの方が、ＲＴＰセッション２を含む経路で伝送されたデータよりも先に基地局１２−３に到達した場合）、データ取得先切替指示部２８は、ＲＴＰセッション１で受信されたデータの選択を停止し、その｜ΔＴ｜後に受信されるデータから、ＲＴＰセッション２で受信されるデータを選択するよう、有線受信データ選択制御部２２に指示する。
【００３９】
また、ΔＴ＝０である場合（移動局１４−１から移動局１４−２宛てに送信された同一のデータのうち、ＲＴＰセッション１を含む経路で伝送されたデータと、ＲＴＰセッション２を含む経路で伝送されたデータと、が同時に基地局１２−３に到達した場合）、データ取得先切替指示部２８は、ＲＴＰセッション１で受信されたデータの選択を停止し、それ以降はＲＴＰセッション２で受信されたデータを選択するよう、有線受信データ選択制御部２２に指示する。
【００４０】
一方、ΔＴ＞０である場合（移動局１４−１から移動局１４−２宛てに送信された同一のデータのうち、ＲＴＰセッション１を含む経路で伝送されたデータの方が、ＲＴＰセッション２を含む経路で伝送されたデータよりも後に基地局１２−３に到達した場合）、データ取得先切替指示部２８は、ＲＴＰセッション１で受信されたデータの選択を停止し、そのΔＴ前に受信されたデータに遡って、ＲＴＰセッション２で受信されたデータを選択するよう、有線受信データ選択制御部２２に指示する。
【００４１】
これにより、ＲＴＰセッション１で受信されたデータのうち移動局１４−２に送信された最後のデータと、ＲＴＰセッション２で受信されるデータのうち移動局１４−２に送信される最初のデータと、が連続するようになる。すなわち、移動局１４−１のハンドオーバに伴いＲＴＰセッションを切り替えても、移動局１４−１から移動局１４−２に送信されるデータの連続性が保証されるようになる。
【００４２】
識別情報付与指示部２９は、移動局１４−１のハンドオーバに伴ってＲＴＰ制御部２４がハンドオーバ先の基地局１２−２との間でＲＴＰセッション２を確立した後、ＲＴＰセッション１，２で送信される有線送信データそれぞれに、それらが同一のデータであることを識別するための同一性識別情報（フラグ）を付与するよう、有線送信データ制御部２３に指示する。
【００４３】
通信経路制御部３０は、移動局１４−１から送信された通信経路切替要求を有線部２５を介して受信すると、データ取得先切替指示部２８の指示に従って有線受信データ選択制御部２２が有線受信データの取得先をＲＴＰセッション１からＲＴＰセッション２に切り替えた後に、ハンドオーバ元の基地局１２−１との間に確立されたＲＴＰセッション１を解放するよう、ＲＴＰ制御部２４に指示する。
【００４４】
図３は、移動局１４−１の機能ブロック図である。同図に示すように、移動局１４−１は、アンテナ４０，４１、無線部４２，４３、バッファ４４，４５、無線受信データ選択制御部４６、無線送信データ制御部４７、音声出力部４８、音声入力部４９、呼制御部５０を含んで構成される。このうち、無線受信データ選択制御部４６、無線送信データ制御部４７、呼制御部５０は、たとえばＣＰＵおよびＣＰＵの動作を制御するプログラムで構成される。
【００４５】
アンテナ４０，４１は、それぞれ無線部４２，４３から供給される無線信号を放射する。また、基地局１２から送信される無線信号を受信し、その無線信号を無線部４２，４３にそれぞれ出力する。なお、送信および受信は、無線部２１の指示に従って時分割で切り替えられる。
【００４６】
特に、基地局１２−１から基地局１２−２へのハンドオーバに伴って、移動局１４−１は基地局１２−１との無線通信に加え、新たに基地局１２−２との無線通信を開始する。ここでは、ハンドオーバ元の基地局１２−１との無線通信にアンテナ４０と無線部４２を用い、ハンドオーバ先の基地局１２−２との無線通信にアンテナ４１と無線部４３を用いるものとする。
【００４７】
無線部４２，４３は、それぞれパワーアンプ、ローノイズアンプ、帯域通過フィルタ、ミキサ、Ｄ／Ａコンバータ、Ａ／Ｄコンバータ、変調回路、復調回路などを含んで構成される。そして、無線部４２，４３は、無線送信データ制御部４７から入力されるデータを無線信号に変換し、変換した無線信号を送信出力レベルにまで増幅してそれぞれアンテナ４０，４１に供給する。また、アンテナ４０，４１で受信された無線信号をベースバンド信号に変換し、そのベースバンド信号をそれぞれバッファ４４，４５に出力する。
【００４８】
バッファ４４，４５は、メモリなどで構成され、無線部４２，４３からそれぞれ入力されるベースバンド信号を無線受信データとして一時的に格納する。
【００４９】
無線受信データ選択制御部４６は、バッファ４４，４５のいずれか一方から無線受信データを読み出し、読み出した無線受信データを音声出力部４８に出力する。特に、ハンドオーバに伴って移動局１４−１がハンドオーバ先の基地局１２−２との無線通信を開始した後、無線受信データ選択制御部４６は、後述する呼制御部５０（データ取得先切替指示部５２）の指示に従って、音声出力部４８に出力する無線受信データの取得先を、バッファ４４からバッファ４５に切り替える。
【００５０】
また、無線受信データ選択制御部４６は、移動局１４−１がハンドオーバ元の基地局１２−１およびハンドオーバ先の基地局１２−２のそれぞれと無線通信をしている間、基地局１２−３から送信された同一のデータを識別するための同一性識別情報（フラグ）が付与された無線フレームが受信されるか否か（たとえば、無線レイヤ１フレームに含まれるＳＡのビットがすべて「１」である否か）を確認する。そして、同一性識別情報が付与された無線フレームが受信されると、無線受信データ選択制御部４６は、その旨を呼制御部５０（受信タイミング差測定部５１）に通知する。
【００５１】
無線送信データ制御部４７は、音声入力部４９から入力される音声データを無線送信データとして無線部４２，４３の少なくとも一方に出力する。特に、移動局１４−１がハンドオーバ元の基地局１２−１およびハンドオーバ先の基地局１２−２のそれぞれと無線通信をしている間、無線送信データ制御部４７は、呼制御部５０の指示に従って、無線部４２，４３のいずれにも無線送信データを出力する。
【００５２】
また、無線送信データ制御部４７は、呼制御部５０（識別情報付与指示部５３）の指示に従って、無線部４２，４３で送信される無線送信データそれぞれに、それらが同一のデータであることを識別するための同一性識別情報（フラグ）を付与する。たとえば、無線部４２，４３から送信される無線レイヤ１フレームに含まれるＳＡ（図５参照）のビットがすべて「１」となるよう、無線送信データに所定の情報を付与してもよい。
【００５３】
音声出力部４８は、スピーカ（ヘッドホン端子でもよい）を含み、無線受信データ選択制御部４６から入力される無線受信データに応じた音声をスピーカから出力する。
【００５４】
音声入力部４９は、マイクロフォンを含み、マイクロフォンから入力される音声信号を音声データに変換し、変換された音声データを無線送信データ制御部に出力する。
【００５５】
呼制御部５０は、受信タイミング差測定部５１、データ取得先切替指示部５２、識別情報付与指示部５３、通信経路切替要求部５４を含んで構成され、移動局１４−１の呼制御に係る各種処理を行う。
【００５６】
受信タイミング差測定部５１は、移動局１４−１がハンドオーバ元の基地局１２−１およびハンドオーバ先の基地局１２−２のそれぞれと無線通信をしている間、無線受信データ選択制御部４６から、同一性識別情報（フラグ）が付与された無線フレームが無線部４２，４３のそれぞれで受信された旨の通知を受ける。そして、その通知に基づき、同一性識別情報が付与されたデータをハンドオーバ元の基地局１２−１を介して受信したタイミングｔ１と、同一性識別情報が付与されたデータをハンドオーバ先の基地局１２−２を介して受信したタイミングｔ２と、の差Δｔ（Δｔ＝ｔ１−ｔ２）を測定する。
【００５７】
データ取得先切替指示部５２は、ハンドオーバに伴って移動局１４−１がハンドオーバ先の基地局１２−２との無線通信を開始した後、受信タイミング差測定部５１により測定されたタイミング差Δｔに基づいて、音声出力部４８に出力する無線受信データの取得先を基地局１２−１（無線部４２、バッファ４４）から基地局１２−２（無線部４３、バッファ４５）に切り替えるよう、無線受信データ選択制御部４６に指示する。
【００５８】
具体的には、Δｔ＜０である場合（基地局１２−３から移動局１４−１に送信された同一のデータのうち、基地局１２−１を経由する経路で伝送されたデータの方が、基地局１２−２を経由する経路で伝送されたデータよりも先に移動局１４−１に到達した場合）、データ取得先切替指示部５２は、無線部４２で受信されたデータの選択を停止し、その｜Δｔ｜後に受信されるデータから、無線部４３で受信されるデータを選択するよう、無線受信データ選択制御部４６に指示する。
【００５９】
また、Δｔ＝０である場合（基地局１２−３から移動局１４−１に送信された同一のデータのうち、基地局１２−１を経由する経路で伝送されたデータと、基地局１２−２を経由する経路で伝送されたデータと、が同時に移動局１４−１に到達した場合）、データ取得先切替指示部５２は、無線部４２で受信されたデータの選択を停止し、それ以降は無線部４３で受信されたデータを選択するよう、無線受信データ選択制御部４６に指示する。
【００６０】
一方、Δｔ＞０である場合（基地局１２−３から移動局１４−１に送信された同一のデータのうち、基地局１２−１を経由する経路で伝送されたデータの方が、基地局１２−２を経由する経路で伝送されたデータよりも後に移動局１４−１に到達した場合）、データ取得先切替指示部５２は、無線部４２で受信されたデータの選択を停止し、そのΔｔ前に受信されたデータに遡って、無線部４３で受信されたデータを選択するよう、無線受信データ選択制御部４６に指示する。
【００６１】
これにより、無線部４２で受信されたデータのうち音声出力部４８に出力された最後のデータと、無線部４３で受信されるデータのうち音声出力部４８に出力される最初のデータと、が連続するようになる。すなわち、移動局１４−１のハンドオーバに伴いＲＴＰセッションを切り替えても、移動局１４−１が移動局１４−２から受信するデータの連続性が保証される。
【００６２】
識別情報付与指示部５３は、ハンドオーバに伴って移動局１４−１がハンドオーバ先の基地局１２−２との無線通信を開始した後、無線部４２，４３から送信される無線送信データそれぞれに、それらが同一のデータであることを識別するための同一性識別情報（フラグ）を付与するよう、無線送信データ制御部４７に指示する。
【００６３】
通信経路切替要求部５４は、データ取得先切替指示部５２の指示に従って無線受信データ選択制御部４６が無線受信データの取得先を無線部４２から無線部４３に切り替えた後に、基地局１２−３に対して通信経路切替要求を送信するよう、無線部４３（または無線部４２）に指示する。こうすれば、基地局１２−３がハンドオーバ元の基地局１２−１との間で確立したＲＴＰセッション１を解放する前に、ＲＴＰセッション２を含む経路（ハンドオーバ先の基地局１２−２を経由する経路）で受信されるデータの使用が開始されるので、ハンドオーバ中に音声出力部４８から出力される音声が途切れなくなる。
【００６４】
ここで、基地局１２−３および移動局１４−１の動作について説明する。
【００６５】
図６〜１３は、図１に示す移動通信システム１０において、移動局１４−２と音声通信を行う移動局１４−１が、基地局１２−１から基地局１２−２にハンドオーバする手順を説明する図である。
【００６６】
ハンドオーバの開始前、基地局１２−１と移動局１４−２が無線接続する基地局１２−３との間には、ＲＴＰセッション１が確立されている（図６）。移動局１４−１が基地局１２−２へのハンドオーバを開始すると、移動局１４−１と基地局１２−２との間で無線通信が開始されるとともに、基地局１２−２と基地局１２−３との間に新たなＲＴＰセッション２が確立され、ＲＴＰセッション１とＲＴＰセッション２の両セッションでデータが送受信される（図７）。
【００６７】
ここでは、ＲＴＰセッション１で受信されるデータだけが、移動局１４−１および１４−２で使用される。すなわち、移動局１４−１は、ハンドオーバ元の基地局１２−１から受信したデータのみを使用（音声出力）し、ハンドオーバ先の基地局１２−２から受信したデータを破棄する。また、基地局１２−３は、ＲＴＰセッション１で受信したデータのみを移動局１４−２に送信し、ＲＴＰセッション２で受信したデータを破棄する。
【００６８】
移動局１４−１は、基地局１２−２との無線通信を開始した後、基地局１２−３に対し、同一性識別情報を付与した同一のデータ（フラグ付きデータ）を、ハンドオーバ元の基地局１２−１およびハンドオーバ先の基地局１２−２のそれぞれを介して送信する（図８参照）。そして、基地局１２−３は、移動局１４−１から送信されたフラグ付きデータを基地局１２−１を介して（ＲＴＰセッション１で）受信したタイミングと、移動局１４−１から送信されたフラグ付きデータを基地局１２−２を介して（ＲＴＰセッション２で）受信したタイミングと、の差ΔＴを測定する。
【００６９】
逆に、基地局１２−３も、移動局１４−１に対し、ハンドオーバ元の基地局１２−１およびハンドオーバ先の基地局１２−２のそれぞれを介してフラグ付きデータを送信する（図９参照）。そして、移動局１４−１は、基地局１２−３から送信されたフラグ付きデータを基地局１２−１を介して（ＲＴＰセッション１経由で）受信したタイミングと、基地局１２−３から送信されたフラグ付きデータを基地局１２−２を介して（ＲＴＰセッション２経由で）受信したタイミングと、の差Δｔを測定する。
【００７０】
そして、移動局１４−１は、測定したタイミング差Δｔに基づいて、無線受信データの取得先をハンドオーバ元の基地局１２−１からハンドオーバ先の基地局１２−２に切り替える（図１０参照）。これにより、移動局１４−１は、ハンドオーバ元の基地局１２−１から受信したデータを破棄し、ハンドオーバ先の基地局１２−２から受信したデータを使用（音声出力）し始めるようになる。
【００７１】
無線受信データの取得先を切り替えた後、移動局１４−１は、基地局１２−３に対して通信経路切替要求を送信する（図１１参照）。この通信経路切替要求は、基地局１２−１および基地局１２−２のいずれを介して送信されてもよい。
【００７２】
基地局１２−３は、移動局１４−１から送信された通信経路切替要求を受信すると、有線受信データの取得先を、ハンドオーバ元の基地局１２−１からハンドオーバ先の基地局１２−２に切り替える。これにより、基地局１２−３は、ＲＴＰセッション１で受信したデータを破棄し、ＲＴＰセッション２で受信したデータを移動局１２−２に送信し始めるようになる。その後、上記通信経路切替要求に応じて、ハンドオーバ元の基地局１２−１との間に確立されたＲＴＰセッション１を解放する（図１２参照）。
【００７３】
移動局１４−１は、ＲＴＰセッション１の解放に伴って、ハンドオーバ元の基地局１２−１との無線通信を終了する（図１３参照）。このようにして、移動局１４−１による基地局１２−１から基地局１２−２へのハンドオーバが完了する。
【００７４】
以上説明した移動通信システム１０では、移動局１４−１が受信データの取得先をハンドオーバ元の基地局１２−１からハンドオーバ先の基地局１２−２に切り替えた後に、基地局１２−３が基地局１２−１との間で確立したＲＴＰセッション１を解放する。このため、ハンドオーバ中の移動局１４−１で受信されるデータが途切れないよう、基地局１２間のＲＴＰセッションを切り替えることができる。
【００７５】
なお、本発明は、上記実施形態に限定されるものではなく、種々の変形実施が可能である。たとえば、以上の説明では、基地局間がＩＰ網で接続された移動通信システムにおける音声通信に本発明を適用したが、本発明は、基地局間がＩＰ網以外のネットワーク（無線網でもよい）で接続された移動通信システムでの通信全般に適用可能である。また、基地局間のデータ伝送には、ＲＴＰに限らず、ＵＤＰその他のプロトコルを適用してもよい。
【図面の簡単な説明】
【００７６】
【図１】本発明の実施形態に係る移動通信システムの全体構成図である。
【図２】本発明の実施形態に係る基地局の機能ブロック図である。
【図３】本発明の実施形態に係る移動局の機能ブロック図である。
【図４】ＲＴＰパケットの構成を示す図である。
【図５】無線レイヤ１フレームの構成を示す図である。
【図６】本発明の実施形態に係るハンドオーバ手順を説明する図である。
【図７】本発明の実施形態に係るハンドオーバ手順を説明する図である。
【図８】本発明の実施形態に係るハンドオーバ手順を説明する図である。
【図９】本発明の実施形態に係るハンドオーバ手順を説明する図である。
【図１０】本発明の実施形態に係るハンドオーバ手順を説明する図である。
【図１１】本発明の実施形態に係るハンドオーバ手順を説明する図である。
【図１２】本発明の実施形態に係るハンドオーバ手順を説明する図である。
【図１３】本発明の実施形態に係るハンドオーバ手順を説明する図である。
【図１４】従来のハンドオーバ手順を説明する図である。
【図１５】従来のハンドオーバ手順を説明する図である。
【図１６】従来のハンドオーバ手順を説明する図である。
【図１７】従来のハンドオーバ手順を説明する図である。
【符号の説明】
【００７７】
１０  移動通信システム、１２  基地局、１４  移動局、１６  ＩＰ網、２０，４０，４１  アンテナ、２１，４２，４３  無線部、２２  有線受信データ選択制御部、２３  有線送信データ制御部、２４  ＲＴＰ制御部、２５  有線部、２６，５０  呼制御部、２７，５１  受信タイミング差測定部、２８，５２  データ取得先切替指示部、２９，５３  識別情報付与指示部、３０  通信経路制御部、４４，４５  バッファ、４６  無線受信データ選択制御部、４７  無線送信データ制御部、４８  音声出力部、４９  音声入力部、５４  通信経路切替要求部。
【図１】
2009081668.tif 000003
【図２】
2009081668.tif 000004
【図３】
2009081668.tif 000005
【図４】
2009081668.tif 000006
【図５】
2009081668.tif 000007
【図６】
2009081668.tif 000008
【図７】
2009081668.tif 000009
【図８】
2009081668.tif 000010
【図９】
2009081668.tif 000011
【図１０】
2009081668.tif 000012
【図１１】
2009081668.tif 000013
【図１２】
2009081668.tif 000014
【図１３】
2009081668.tif 000015
【図１４】
2009081668.tif 000016
【図１５】
2009081668.tif 000017
【図１６】
2009081668.tif 000018
【図１７】
2009081668.tif 000019